(57)【特許請求の範囲】
【請求項１】
透明な熱可塑性樹脂板（１）に愛玩動物の写真画像（４）が、白色を省略して印刷され、かつ、上記熱可塑性樹脂板（１）の裏面（９）側に白色被覆層（８）が設けられ、さらに、全体の内で、上記写真画像（４）に対応する部位が立体弯曲形状であることを特徴とする立体写真構造。
【請求項２】
上記熱可塑性樹脂板（１）の表て面（１０）は、上記写真画像（４）の上記愛玩動物の両目と鼻先に対応する局部的部分が光沢面（５）であり、かつ、上記両目及び上記鼻先以外の残部がツヤ消し状塗装面部（７）である請求項１記載の立体写真構造。
【発明の詳細な説明】
【技術分野】
【０００１】
本発明は、立体写真構造に関する。
【背景技術】
【０００２】
例えば、犬や猫などのペット（愛玩動物）を持つ人にとって、自分のペットが写真から飛び出してくるかのような立体感を有し、かつ、まるでそこにいるかのような存在感のある立体装飾品は、商品としての付加価値が高く、近年、人気が高まってきている。
従来、平面的に印刷された写真を、成形型で加圧することで凹凸を形成する立体写真が知られている（特許文献１参照）。
【先行技術文献】
【特許文献】
【０００３】
【特許文献１】特開２０１２−７１５７０号公報
【発明の概要】
【発明が解決しようとする課題】
【０００４】
しかし、特許文献１記載の立体写真は、凹凸を形成する際に、平面的な写真が無理矢理に引き延ばされ、画像に歪みが生じ、かつ、色彩に濃淡のムラが出て、仕上がりが美しくないという欠点があった。
また、例えば、鼻の長い犬の写真を立体化する場合には、写真と型の位置合わせの調整が難しかった。
【０００５】
そこで、本発明は、写真と型の位置合わせが容易で、かつ、美しい仕上がりに形成できる立体写真構造を提供することを目的とする。
【課題を解決するための手段】
【０００６】
本発明に係る立体写真構造は、透明な熱可塑性樹脂板に愛玩動物の写真画像が、白色を省略して印刷され、かつ、上記熱可塑性樹脂板の裏面側に白色被覆層が設けられ、さらに、全体の内で、上記写真画像に対応する部位が立体弯曲形状であるものである。
【０００７】
また、上記熱可塑性樹脂板の表て面は、上記写真画像の上記愛玩動物の両目と鼻先に対応する局部的部分が光沢面であり、かつ、上記両目及び上記鼻先以外の残部がつや消し状塗装面部であるものである。
【発明の効果】
【０００８】
本発明の立体写真構造によれば、写真画像の美観を向上でき、本物に近い立体感と存在感を付与できる。熱可塑性樹脂板を立体弯曲形状に形成する際、写真画像の目や鼻などの特徴的な部分を、正確に位置合わせすることができる。白色被覆層によって写真画像の白色を補完して、色彩にムラのない美しい仕上がりとすることができる。少ない工程で容易に製造でき、製造能率を向上でき、かつ、コストを低減できる。長期間が経過した後も写真画像が剥がれる虞れがなく、写真画像を美しく保つことができる。
【図面の簡単な説明】
【０００９】
【図１】本発明に係る立体写真構造の実施の一形態を示した正面図である。
【図２】図１のＡ−Ａ断面図であり、（Ａ）は全体の断面図であり、（Ｂ）は要部拡大断面図である。
【図３】本発明の立体写真構造の製造工程及び中間製品を示す断面図である。
【図４】本発明の立体写真構造の製造工程及び中間製品を示す断面図である。
【図５】本発明の立体写真構造の製造工程及び中間製品を示す正面図である。
【図６】本発明の立体写真構造の製造工程及び中間製品を示す断面図である。
【図７】本発明の立体写真構造の製造工程及び中間製品を示す断面図である。
【図８】本発明の立体写真構造の製造工程及び中間製品を示す断面図である。
【図９】本発明の立体写真構造の製造工程及び中間製品を示す断面図である。
【図１０】本発明の立体写真構造の製造工程及び中間製品を示す正面図である。
【発明を実施するための形態】
【００１０】
以下、実施の形態を示す図面に基づき本発明を詳説する。
図１と図２に示すように、本発明の立体写真構造は、透明な熱可塑性樹脂板１に愛玩動物の顔の写真画像４が、白色を省略して印刷され、かつ、熱可塑性樹脂板１の裏面９側に白色被覆層８が設けられている。そして、全体の内で、愛玩動物の顔の写真画像４に対応する部位が立体弯曲形状である
熱可塑性樹脂板１は、例えば、ＰＥＴ（ポリエチレンテレフタレート）、ＰＥ（ポリエチレン）、ＰＳ（ポリスチレン）、ＰＶＣ（ポリ塩化ビニル）、ＰＰ（ポリプロピレン）、あるいは、ＰＣ（ポリカーボネート）、アクリル（ＰＭＭＡ）、ＡＢＳ等から成る。熱可塑性樹脂板１は、単一材料の合成樹脂で構成された１枚の板片から成るのが好適である。この構成によれば、複数枚の合成樹脂片を貼り合わせて積層体を形成するのに比較して、製造が容易であり、コストを低減できる。なお、本発明に於て、後述のように、熱可塑性樹脂板１に薄いコーティング層やラミネート層が設けられていても、熱可塑性樹脂板１は１枚の単層体であることとする。
上記写真画像４が印刷された上記熱可塑性樹脂板１は、後述の成形凸型６の形状に沿って中央部が引き延ばされて弯曲凸部１１が形成され、弯曲凸部１１の頂部に向うにつれて厚さ寸法Ｔが次第に薄くなっている。即ち、熱可塑性樹脂板１は、弯曲凸部１１の頂部に近づくほど光が透過し易く、正面視で、写真画像４の愛玩動物の鼻先がくっきりと鮮明になり、遠近法により立体的に浮き上がるように見える。なお、熱可塑性樹脂板１が引き延ばされる前の厚さ寸法、つまり、弯曲凸部１１以外の引き延ばされていない部分の厚さ寸法Ｔ０は、０．３ｍｍ〜１．０ｍｍとし、より好ましくは、０．４ｍｍ〜０．５ｍｍに設定される。熱可塑性樹脂板１の厚さ寸法Ｔ０が、上記下限値未満であると、立体弯曲形状に形成する際、破れてしまう虞れがあり、上限値を超えると、加熱により軟化させるのが至難であり、また、透明感が低下し、写真画像４が美しく見えない。
【００１１】
熱可塑性樹脂板１は、インクジェットプリンターによって裏面９に印刷ができるように形成されている。熱可塑性樹脂板１の裏面９は、例えば、プライマー（アンカーコーティング）やラミネート加工、あるいは、樹脂表面に微小な凹凸を形成する化学処理や機械的加工等によって、インクジェットプリンターのインクが定着しやすいように加工される。写真画像４は、熱可塑性樹脂板１の裏面９に、染料インクを用いて印刷されるのが好ましい。染料インクは、加熱しても焦げにくく、写真画像４を引き延ばしても割れやひびが生じにくいという利点がある。熱可塑性樹脂板１は溶剤に侵される樹脂の場合、例えばＰＶＣ（ポリ塩化ビニル）等も上記の加工をすることなくインクを定着させることができる。
なお、熱可塑性樹脂板１に上述の加工をすることなく、ＵＶインクジェットプリンターによって、写真画像４を印刷しても良い。なお、ＵＶインクジェットプリンターとは、樹脂表面にインクを吐出すると共にＵＶライトによってインクを硬化させて、樹脂表面にインクを定着させる装置である。
【００１２】
図２（Ｂ）に示すように、熱可塑性樹脂板１の表て面１０は、写真画像４の愛玩動物の両目と鼻先に対応する局部的部分が光沢面５であり、かつ、両目及び鼻先以外の残部がつや消し状塗装面部７である。
このつや消し状塗装面部７では、薄いコーティング層が積層し、コーティング層の表面を多数の微小な凹凸によりザラつかせることで、光の反射を不均一にして、光沢（つや）を抑制すると共に、愛玩動物の軟らかい毛の感じを付与する。一方、光沢面５では、微小な凹凸が形成されていない為、透明で、かつ、平滑面状の熱可塑性樹脂板１の表て面１０が露出して、光が反射し易く、愛玩動物の両目と鼻先につやが出て、明るく際立って見える。即ち、写真画像４の愛玩動物の毛で覆われている部分は、塗装面部７によって、光沢が抑えられ、毛で覆われていない両目と鼻先は、光沢面５によって、つやを出して、写真画像４に一層リアルな存在感を付与するように構成されている。
【００１３】
白色被覆層８は、着色用スプレーによって、熱可塑性樹脂板１の裏面９側に白いインクが塗布されて形成される。白色被覆層８は、不透明であり、熱可塑性樹脂板１が立体弯曲形状に形成された後に形成され、写真画像４に足りなかった白色を補っている。なお、白色被覆層８は、不透明な白色のペンキやシリコンゴム、あるいは、白色シートを貼着して形成しても良い。白色被覆層８は、熱可塑性樹脂板１の裏面９全体に設ける必要はなく、少なくとも写真画像４に対応する領域に形成されていれば良い。
【００１４】
上述した本発明の立体写真構造の製造方法について説明する。
図３と図４に示すように、熱可塑性樹脂板１の裏面９に写真画像４を印刷する。
図４で、写真画像４は、正面から見た犬の画像を印刷したものであって、白色が省略され、愛玩動物の毛並みの白い部分Ｗ１，Ｗ２，Ｗ３は、透明乃至半透明となっている。なお、透明乃至半透明とは、光の透過率が６０％〜１００％とする。
【００１５】
次に、図５に示すように、写真画像４が印刷形成された熱可塑性樹脂板１を加熱して、軟化させ、図６に示すように、軟化した熱可塑性樹脂板１を載置台１５に置かれた成形凸型６の上から被せて変形させる。写真画像４の愛玩動物の鼻や目などの特徴的部分Ｐ１，Ｐ２（図４参照）を、鼻の特徴的部分Ｐ１が成形凸型６の頂部に、目の特徴的部分Ｐ２，Ｐ２が成形凸型６の中心線Ｃから均等な位置にくるように注意深く対応させ、位置合わせを行う。写真画像４は、愛玩動物の毛並みの白い部分Ｗ１，Ｗ２，Ｗ３が透明乃至半透明である為、成形凸型６に対し位置合わせが容易である。なお、熱可塑性樹脂板１は、加熱されることで、全体がムラなく十分に軟化して伸び易くなって、無理なく均等に引き延ばされ、破れることが少なく、また、写真画像４にほとんど歪みが生じない。
【００１６】
図７に示すように、載置台１５に設けられた多数の孔部１５ａ，１５ａ，１５ａからエアーを吸引して、軟化した熱可塑性樹脂板１を、成形凸型６に沿って立体弯曲形状に変形させる。熱可塑性樹脂板１に印刷された写真画像４は、熱可塑性樹脂板１の変形に伴って引き延ばされる。この際、写真画像４は、割れやひびが発生することがほとんどなく、色彩にムラが生じることも少ない。
次に、熱可塑性樹脂板１を冷やして硬化させ、成形凸型６から取外し、図８に示すように、熱可塑性樹脂板１の裏面９側に白色被覆層８を形成する。白色被覆層８は、熱可塑性樹脂板１の裏面９側から、着色用スプレーによって、写真画像４の裏面を被覆するように白色インクを塗布し、写真画像４の省略された白色を補充して、完全な愛玩動物の写真とする。写真画像４は、表て面が熱可塑性樹脂板１に被覆され、裏面が白色被覆層８に被覆されて、外部からの力で傷が付いたり劣化しないように保護されている。また、写真画像４は、表て面が透明な熱可塑性樹脂板１に被覆されることで、正面から見ると深みが出て、写真としての美観が向上し、本物に近い立体感と存在感を醸し出す。熱可塑性樹脂板１は、引き延ばされることで弯曲凸部１１の頂部に近づくにつれて厚さ寸法Ｔが次第に薄くなっており、写真画像４の愛玩動物の鼻Ｐ１（図４参照）が最もくっきり鮮明に見える。愛玩動物の鼻先の鮮明度が高く、そこから奥に向うにつれて鮮明度が低下していくことにより、写真画像４の愛玩動物に遠近法が作用して、立体感が増大する。
【００１７】
図６と図７に示す成形凸型６は、木、石膏、粘土等で形成、犬種毎に形状の異なる一揃えが用意されている。上述した製造工程に於て、一揃えの成形凸型６の内の１つを用いて、熱可塑性樹脂板１が、各犬種に対応する立体弯曲形状に形成されている。
犬種によっては鼻が高いものや低いものがおり、また、顔が長いもの、あるいは、丸いものがいる。一揃え（複数種類）の成形凸型６は、犬種による形状の違いに対応すると共に、各形状に２種類〜３種類ずつのサイズを揃え、形状とサイズの異なる一揃えの中から、写真画像４として印刷するものに合わせて適当な１個の成形凸型６を選択して使用する。予め、一揃えの成形凸型６を用意しておくことで、熱可塑性樹脂板１の成形時に特に複雑な作業を必要とすることなく、作業の効率を向上できる。
【００１８】
次に、図９に示すように、写真画像４の愛玩動物の両目と鼻先に対応する熱可塑性樹脂板１の表て面１０に、テープ等のマスキング部材Ｍを貼る。
図１０に示すように、熱可塑性樹脂板１の表て面１０に、つや消し用スプレーを噴付けて、微小な凹凸を形成する。写真画像４の愛玩動物の両目と鼻先に対応した部分には、マスキング部材Ｍが貼られている為、微小な凹凸が形成されることは無く、マスキング部材Ｍを取り除けば熱可塑性樹脂板１の表て面１０が露出して、写真画像４の愛玩動物の両目と鼻先に対応する（局部的）部分に光沢面５が形成される。熱可塑性樹脂板１の表て面１０の内、マスキング部材Ｍで覆い隠されていない愛玩動物の両目及び鼻先以外の残部には、多数の微小な凹凸が形成され、つや消し状塗装面部７となる。なお、写真画像４の愛玩動物の両目と鼻先に対応した部分に於て、後作業としてつや消しを研磨して取り除く方法もある。
【００１９】
なお、本発明は、設計変更可能であって、例えば、写真画像４は、熱可塑性樹脂板１の表て面１０に印刷されていても良い。写真画像４を被覆する保護シートを付設しても良い。また、写真画像４として印刷する愛玩動物は、例えば、猫やウサギ等でも良い。また、成形凸型６は、多孔質の材料で構成されていても良い。
【００２０】
以上のように、本発明に係る立体写真構造は、透明な熱可塑性樹脂板１に愛玩動物の写真画像４が、白色を省略して印刷され、かつ、上記熱可塑性樹脂板１の裏面９側に白色被覆層８が設けられ、さらに、全体の内で、上記写真画像４に対応する部位が立体弯曲形状であるので、写真画像４の美観を向上でき、本物に近い立体感と存在感を付与できる。熱可塑性樹脂板１を立体弯曲形状に形成する際、写真画像４の目や鼻などの特徴的な部分を、正確に位置合わせすることができる。白色被覆層８によって写真画像４の白色を補完して、色彩にムラのない美しい仕上がりとすることができる。少ない工程で容易に製造でき、製造能率を向上でき、かつ、コストを低減できる。長期間が経過した後も写真画像４が剥がれる虞れがなく、写真画像４を美しく保つことができる。
【００２１】
また、上記熱可塑性樹脂板１の表て面１０は、上記写真画像４の上記愛玩動物の両目と鼻先に対応する局部的部分が光沢面５であり、かつ、上記両目及び上記鼻先以外の残部がつや消し状塗装面部７であるので、塗装面部７では、光沢（つや）を抑制し、光沢面５では、光がよく反射して、愛玩動物の両目と鼻先が明るく際立って見え、写真画像４に一層リアルな存在感を付与できる。
【符号の説明】
【００２２】
１  熱可塑性樹脂板
４  写真画像
５  光沢面
７  塗装面部
８  白色被覆層
９  裏面
１０  表て面
【図１】
0006300776.tif 000002
【図２】
0006300776.tif 000003
【図３】
0006300776.tif 000004
【図４】
0006300776.tif 000005
【図５】
0006300776.tif 000006
【図６】
0006300776.tif 000007
【図７】
0006300776.tif 000008
【図８】
0006300776.tif 000009
【図９】
0006300776.tif 000010
【図１０】
0006300776.tif 000011